(57)【要約】【課題】養鶏施設内を冷房するような大掛かりな装置を用いなくても、夏場などの気温が高い時期の鶏の水分補給を十分行えるとともに、鶏の暑さによる体力減退や熱射病等による死亡を防止することができる養鶏施設の給水装置を提供することを目的としている。【解決手段】養鶏施設の各ケージに沿って配管され、養鶏施設内で飼育される鶏に飲み水を供給する給水管を有し、この給水管が所望ピッチで設けられた給水口をその途中に備える養鶏施設の給水装置において、前記給水管が循環路中に組み込まれているとともに、循環路の途中に給水路中の水を冷却する冷却装置を備えていることを特徴としている。【選択図】      図３
2005237241.tif 000002
【特許請求の範囲】
【請求項１】
養鶏施設の各ケージに沿って配管され、養鶏施設内で飼育される鶏に飲み水を供給する給水管を有し、この給水管が所望ピッチで設けられた給水口をその途中に備える養鶏施設の給水装置において、
前記給水管が循環路中に組み込まれているとともに、循環路の途中に給水路中の水を冷却する冷却装置を備えていることを特徴とする養鶏施設の給水装置。
【請求項２】
循環路内の水温または養鶏施設内の気温を測定する温度センサを有し、冷却装置を前記温度センサで計測された温度が設定温度以上になった時稼働させる冷却温度制御手段を備えている請求項１に記載の養鶏施設の給水装置。
【請求項３】
冷却装置を設定された時間稼働するように制御する冷却装置稼働時間制御手段を備えている請求項１または請求項２に記載の養鶏施設の給水装置。
【請求項４】
循環路が、冷却装置付きの貯水槽と、この貯水槽の水を給水管に送る送り配管と、給水管から送り出される水を再び貯水槽に戻す戻り配管とを備えている請求項１〜請求項３のいずれかに記載の養鶏施設の給水装置。
【発明の詳細な説明】
【技術分野】
【０００１】
本発明は、養鶏施設の給水装置に関する。
【背景技術】
【０００２】
昨今の養鶏施設は、卵や鶏肉の生産効率を上げるために、養鶏施設内に多段かつ多列にケージを配置するとともに、給餌、給水も自動化するなどして数万羽という鶏を一度に飼育できるようになっている。
ところで、このような養鶏施設で問題となるのが、夏場等の気温が高い時期の対策である。すなわち、鶏は気温が高くなってくると、夏バテを起こし、鶏卵の生産が落ちり、さらには熱射病により死んでしまったりする。そこで、対策としては、養鶏施設内の温度を下げる方法と、鶏に水を飲ませて体温を下げる方法が考えられる。
【０００３】
そこで、養鶏施設内の温度を下げる方法としては、養鶏施設内を冷房する方法が提案されている（たとえば、特許文献１等参照）。
【０００４】
一方、鶏に水を飲ませて体温を下げる方法の場合、鶏が自主的に水を飲まなければならないが、養鶏施設内の温度があがると給水管内の水温も上昇する。そして、水温が上がるとを鶏が水を飲まなくなり、結果として脱水症状を起こして死んでしまう恐れがある。
そこで、給水管内の水温を監視し、水温がある一定以上に上がると、給水管内の水を捨てて新しい水に入れ換える給水方法（たとえば、特許文献２等参照）が提案されている。
【０００５】
【特許文献１】特開平９−１３５６４８号公報
【特許文献２】特開平６−３４３３６７号公報
【発明の開示】
【発明が解決しようとする課題】
【０００６】
しかし、特許文献１の方法の場合、大きな養鶏施設内を冷房するため、大型の冷房装置が必要でコストがかかり過ぎるという問題がある。
一方、特許文献２の方法の場合、給水管内の水を捨てて新しい水に入れ換えるようになっているため、水が大量に必要となり、コストがかかるとともに、夏場などは上水道の温度もかなり高くなっており、新しい水と入れ換えるだけでは十分とはいえない。
【０００７】
本発明は、上記事情に鑑みて、養鶏施設内を冷房するような大掛かりな装置を用いなくても、夏場などの気温が高い時期の鶏の水分補給を十分行えるとともに、鶏の暑さによる体力減退や熱射病等による死亡を防止することができる養鶏施設の給水装置を提供することを目的としている。
【課題を解決するための手段】
【０００８】
上記目的を達成するために、本発明の請求項１に記載の養鶏施設の給水装置（以下、「請求項１の給水装置」と記す）は、養鶏施設の各ケージに沿って配管され、養鶏施設内で飼育される鶏に飲み水を供給する給水管を有し、この給水管が所望ピッチで設けられた給水口をその途中に備える養鶏施設の給水装置において、前記給水管が循環路中に組み込まれているとともに、循環路の途中に給水路中の水を冷却する冷却装置を備えていることを特徴としている。
【０００９】
本発明の請求項２に記載の養鶏施設の給水装置（以下、「請求項２の給水装置」と記す）は、請求項１の給水装置において、循環路内の水温または養鶏施設内の気温を測定する温度センサを有し、冷却装置を前記温度センサで計測された温度が設定温度以上になった時稼働させる冷却温度制御手段を備えていることを特徴としている。
【００１０】
本発明の請求項３に記載の養鶏施設の給水装置（以下、「請求項３の給水装置」と記す）は、請求項１または請求項２の給水装置において、冷却装置を設定された時間稼働するように制御する冷却装置稼働時間制御手段を備えていることを特徴としている。
【００１１】
本発明の請求項４に記載の養鶏施設の給水装置（以下、「請求項４の給水装置」と記す）は、請求項１〜請求項３のいずれかに記載の給水装置において、循環路が、冷却装置付きの貯水槽と、この貯水槽の水を給水管に送る送り配管と、給水管から送り出される水を再び貯水槽に戻す戻り配管とを備えていることを特徴としている。
【発明の効果】
【００１２】
本発明の請求項１の給水装置は、以上のように給水管が循環路中に組み込まれているとともに、循環路の途中に給水路中の水を冷却する冷却装置を備えているので、夏場などの気温が高い時期にも、冷却装置によって給水路中の水を冷却して、鶏が常に冷たい水を摂取できる状態にすることができる。したがって、夏場などの気温が高い時期においても、鶏が脱水症状を起こしたり、夏バテにより食欲減退を起こしたり、死んでしまったりすることがなくなる。しかも、水が循環路を循環するようになっていて、外部に排出されないので、水の使用量が必要最小限になる。
【００１３】
請求項２の給水装置は、循環路内の水温または養鶏施設内の気温を測定する温度センサを有し、冷却装置を前記温度センサで計測された温度が設定温度以上になった時稼働させる冷却温度制御手段を備えているので、冷却装置を必要な時間だけ稼働させることができるので、電気等のエネルギーコストを最小限に抑えることができる。
【００１４】
請求項３の給水装置は、冷却装置を設定された時間稼働するように制御する冷却装置稼働時間制御手段を備えているので、夜間などの気温が低い時間帯あるいは鶏が眠っていて給水が不要な場合に冷却装置を停止しておくことができ、電気等のエネルギーコストを最小限に抑えることができる。
【発明を実施するための最良の形態】
【００１５】
以下に、本発明を、その実施の形態をあらわす図面を参照しつつ詳しく説明する。
図１〜図３は、本発明にかかる養鶏施設の給水装置の１つの実施の形態をあらわしている。
【００１６】
図１〜図３に示すように、この給水装置１は、送り配管２と、５０本の給水管３と、戻り配管４と、貯水槽５とからなる循環路６を備えている。
また、この給水装置１が設置される養鶏施設7は、図４に示すように、建屋７内に5列のケージ８が平行に設けられている。各ケージ８は、それぞれ５階建てで各階とも幅方向に2つの部屋に仕切られ、長手方向に複数の部屋に仕切られている。
【００１７】
各ケージ８は、各階で、ケージ８の幅方向の両側面に沿って１本ずつの給水管３が全長に渡って添設されているとともに、図１および図３に示すように、ケージ８内に新鮮空気を送風する送風装置８１を備えているとともに、図示していないが、給餌装置を含む公知の養鶏施設と同様の設備も備えている。
給水管３の各部屋に臨む位置には、図５に示すような給水口としてのニップル式給水器３１が設けられている。
【００１８】
ニップル式給水器３１は、図６および図７に示すように、鶏Ｃが網８３から首を給水管３の下方に突き出し、ニップル式給水器３１の下方に突出するニップル状の突起３１ａをくちばし等で上方に突き上げると、突起３１ａが図７（ａ）に示すように、本体３１ｂ内に入り込み、弁が開放されて本体３１ｂの下方から水が流れ落ちるようになっている。すなわち、鶏が突起３１ａを突き上げないと、図７（ｂ）に示すように、突起３１ａが下がり弁が閉じて給水管３から水が漏れ出ないようになっている。
【００１９】
送り配管２は、一端が貯水槽５に臨むみ本管部２１と、本管部２１の他端で２５本に分岐した分岐管部２２と、各分岐管部２２の先端で２つに分岐した接続管部２３とを備え、接続管部２３の先端がそれぞれ給水管３の入口に接続されている。
また、本管部２１の途中には、送水ポンプ２６が設けられ、分岐管部２２には、減圧器２４と圧力ゲージ２５が設けられている。
送水ポンプ２６は、圧力センサ（図示せず）が設けられていて、一定以上の負荷がかかると停止するようになっている。
【００２０】
戻り配管４は、給水管３の出口にそれぞれ接続される接続管部４１と、各階ごとに２本の接続管部４１が集合した２５本の集合管部４２と、この２５本の集合管部４２の出口が接続されその終端が貯水槽５に臨む本管部４３とを備えている。
また、戻り配管４の集合管部４２には、電磁弁４４がそれぞれ設けられている。
電磁弁４４は、給水不要時には、制御手段により一斉に閉じた状態になり、定常給水状態では、ある１列または2列のケージ８に添設された給水管３に接続された電磁弁４４が開放した状態になり、残りの４列または３列のケージ８に添設された給水管３が閉じた状態になり、一定時間毎に開放される電磁弁４４を切り換えるようになっている。
【００２１】
貯水槽５は、冷却装置としてのチラーユニット９と、水補給配管５１と、水温計（図示せず）を備えている。
チラーユニット９は、チラー９１と、貯水槽５の水Ｗをチラー９１と貯水槽５との間で循環する循環配管９２と、循環配管９２の途中に設けられた循環ポンプ９３と、冷却温度制御手段と、冷却装置稼働時間制御手段としてのタイマーとを備えている。
【００２２】
冷却温度制御手段は、温度センサ（図示せず）で測定された養鶏施設７の建屋７1内の気温が設定温度以上になると、チラーユニット９を稼働させ、設定温度未満の場合、チラーユニット９を停止するようになっている。
タイマーは、夜間など、鶏が眠りにつきほとんど水を飲まない時間になると、チラーユニットの稼働を停止し、朝になり、鶏が活動する時間になるとチラーユニットを稼働させるようになっている。
【００２３】
水補給配管５１は、井戸水のくみ上げポンプ（図示せず）に接続されていて出口にボールタップ５２が設けられ、貯水槽５のレベルが下がると、自動的にボールタップ５２が働くレベルになるまで水を貯水槽５に補給するようになっている。
【００２４】
つぎに、この給水装置１の動作を説明する。
この給水装置１は、定常給水状態では、貯水槽５の水Ｗを送水ポンプ２６によって送り配管２を介して電磁弁４４が開放され通水可能になった１列または２列のケージ８に添設された給水管３に水を送り込み、給水管３に溜まっている温もった状態の水を戻り配管４を介して貯水槽５に戻す。
【００２５】
そして、一定時間経過し、１列または２列のケージ８に添設された給水管３の水が新しい冷たい水に交換されると、今まで開放されていた電磁弁４４が閉じ、他の１列または２列のケージ８に添設された給水管３が接続された集合管部４２の電磁弁４４を開放し、上記同様の動作を繰り返すようになっている。
また、チラーユニット９は、温度センサによって測定された建屋７内の気温が一定温度以上になると作動し、貯水槽５内の水温が気温に応じて予め設定された水温になるように稼働するようになっている。
【００２６】
以上のように、この給水装置１は、給水管３が循環路６内に組み込まれていて、給水管３を通った水が再び貯水槽５に戻るようになっているので、すなわち、水が循環路を循環するようになっていて、外部に排出されないので、水の使用量が必要最小限になる。
しかも、貯水槽５にチラーユニット９が設けられているので、貯水槽５内の水温が上がると、チラーユニット９の働きで、貯水槽５内の水を冷却して、給水管３に鶏が飲みやすい温度の水を常に供給できる。したがって、夏場などの気温が高い時期であっても、鶏が給水管３の水を十分摂取し、熱射病や脱水症状によって死ぬと言った問題を解消できる。
勿論、養鶏施設内を冷房する必要もなく、コストダウンを図れる。
【００２７】
また、この給水装置１は、給水が不要時には、電磁弁４４を閉じた状態にするようになっているので、循環路６内に水抜けが発生せず、空気のかみ込み等による送水不良がない。なお、送水ポンプ２６は、圧力センサを備えているので、電磁弁４４を閉じて送水ポンプ２６に大きな負荷がかかると、自動的停止する。したがって、電気等のエネルギーコストを最小限に抑えることができる。
【００２８】
さらに、この給水装置１の場合、電磁弁４４の開閉によって、1列または２列のケージ８に沿って向けられた給水管３内の水を順次入れ換えるようにしているので、送り配管から一度に送られる水の送水量を全体を一度に入れ換える場合の１／５または２／５にすることができる。したがって、送水ポンプ２６の容量を小さくすることができ、設備コストを低減できる。
【００２９】
また、冷却温度制御手段によって養鶏施設７の建屋７内の気温が設定温度以上になると、チラーユニット９を稼働させ、設定温度未満の場合、チラーユニット９を停止するようになっているとともに、タイマーによって、夜間など、鶏が眠りにつきほとんど水を飲まない時間になると、チラーユニットの稼働を停止し、朝になり、鶏が活動する時間になるとチラーユニットを稼働させるようになっているので、チラーユニット９の稼働を必要最小限に抑えることができ、電気等のエネルギーコストを最小限に抑えることができる。
【００３０】
本発明にかかる養鶏施設の給水装置は、上記の実施の形態に限定されない、たとえば、上記の実施の形態では、１列または２列のケージ８に添設された給水管３の水を一度に入れ換えるようにしているが、各給水管３に温度センサを設け、電磁弁を個別に開閉して操作温度センサで計測された温度が設定温度以上になった給水管のみ水を入れ換えるようにしても構わない。また、すべての給水管に常時新しい冷たい水を流すようにしても構わない。
【００３１】
上記の実施の形態では、ケージが５階建てであったが、６階建て以上としても構わないし、４階建て以下でも構わない。
上記の実施の形態では、養鶏施設内のケージが５列であったが、６列以上としても構わないし、４列以下でも構わない。
【実施例１】
【００３２】
全長が５８ｍの給水管３を備えた上記のような養鶏施設Ａの３つのケージのすべての給水管に対して連続的に貯水槽５の水を総量で３４．３リットル／分で給水し、養鶏施設内の気温、給水管入口の水温、給水管出口の水温、貯水槽５の水温、チラーユニット９の戻り配管の水温を１０：３０〜１５：３０までの間で調べその結果を表１に示した。
【００３３】
【表１】
2005237241.tif 000003
【００３４】
上記表１から、常時、給水管に新しい水を送り続けていても、給水管の入口から出口に達するまでの間に水温が４℃以上上昇していることがわかる。したがって、チラーユニットの稼働、給水量、給水の交換頻度等は、給水口の出口での水温を管理することが好ましいことがわかる。
【図面の簡単な説明】
【００３５】
【図１】本発明にかかる養鶏施設の給水装置の１つの実施の形態をあらわし、そのケージの給水管入口側部分を模式的にあらわす斜視図である。
【図２】図１の養鶏施設の給水装置におけるケージの給水管出口側部分を模式的にあらわす斜視図である。
【図３】図１の養鶏施設の給水装置におけるチラーユニットと貯水送部分の配管系統図である。
【図４】図１の養鶏施設の給水装置におけるケージの配置状態を説明する平面図である。
【図５】図１の養鶏施設の給水装置における給水管の正面図である。
【図６】図５の給水管の給水器部分の拡大斜視図である。
【図７】図５の給水器の断面図である。
【符号の説明】
【００３６】
Ｃ  鶏
１  給水装置
２  送り配管
３  給水管
３１  ニップル式給水器（給水口）
４  戻り配管
５  貯水槽
６  循環路
７  養鶏施設
８  ケージ
９  チラーユニット（冷却装置）
【図１】
2005237241.tif 000004
【図２】
2005237241.tif 000005
【図３】
2005237241.tif 000006
【図４】
2005237241.tif 000007
【図５】
2005237241.tif 000008
【図６】
2005237241.tif 000009
【図７】
2005237241.tif 000010